(57)【特許請求の範囲】
【請求項１】
直線状焦点及び矩形正射影を有する半部分型放物面反射鏡と、
上記半部分型放物面反射鏡の左右両側に形成された放物面に垂直で、各反射面が互いに対向する様に配された一対の平面反射鏡と、
上記半部分型放物面反射鏡の直線状焦点に軸心が一致するように配された円筒状閃光放電管と、
上記円筒状閃光放電管に対し同軸的に配され、上記半部分型放物面反射鏡の反射面方向に矩形状の開口部を有する同軸円筒型反射鏡と、
上記半部分型放物面反射鏡を配したケースとからなる同一の４個の表示灯モジュールと、
上記４個の表示灯モジュールの上部に設けられた絶縁性保持板と、
上記４個の表示灯モジュールを配設した下部基板と、
上記絶縁性保持板を支持するように上記下部基板に植立されたロッドと
を具備し、
上記４個の表示灯モジュールにおいて、１個の該表示灯モジュールの上記一対の平面反射鏡のうちの一方の該平面反射鏡側に上記ロッドが配置され、他方の該平面反射鏡は他の表示灯モジュールのケース背面が対抗するように、該４個の表示灯モジュールが合体されてなり、該４個の表示灯モジュールの上記各半部分型放物面反射鏡によって反射された光が、平面上の順次９０度ずつ異なる方向に進むことを特徴とする障害物表示灯。
【請求項２】
請求項１に記載の障害物表示灯において、上記半部分型放物面反射鏡の焦点距離を、該半部分型放物面反射鏡の深さに近い値に設定したことを特徴とする障害物表示灯。
【発明の詳細な説明】
【０００１】
【発明の属する技術分野】
本発明は、航空機に障害物の存在を報知する障害物表示灯に関する。
【０００２】
【発明が解決しようとする課題】
本発明は、水平面内３６０度の範囲に亘って、略均一な配光特性を有する偏平な平行光ビームを放射することができ、閃光放電管よりの光の放射光に対する利用率が高くなると共に、放射光の垂直配光性の予測が容易となる障害物表示灯を提案しようとするものである。
【０００３】
【課題を解決するための手段】
第１の本発明は、直線状焦点及び矩形正射影を有する半部分型放物面反射鏡と、半部分型放物面反射鏡の左右両側に形成された放物面に垂直で、各反射面が互いに対向する様に配された一対の平面反射鏡と、半部分型放物面反射鏡の直線状焦点に軸心が一致するように配された円筒状閃光放電管と、この円筒状閃光放電管に対し同軸的に配され、半部分型放物面反射鏡の反射面方向に矩形状の開口部を有する同軸円筒型反射鏡と、半部分型放物面鏡を配したケースとからなる同一の４個の表示灯モジュールと、４個の表示灯モジュールの上部に設けられた絶縁性保持板と、４個の表示灯モジュールを配設する下部基板と、絶縁性保持板を支持するように下部基板に植立されたロッドとを具備し、４個の表示灯モジュールにおいて、１個の該表示灯モジュールの一対の平面反射鏡のうちの一方の平面反射鏡側にロッドが配置され、他方の平面反射鏡は他の表示灯モジュールのケース背面が対抗するように、４個の表示灯モジュールが合体されてなり、４個の表示灯モジュールの各半部分型放物面反射鏡によって反射された光が、平面上の順次９０度ずつ異なる方向に進むことを特徴とする障害物表示灯としたものである。
【０００４】
第２の本発明は、第１の本発明において、半部分型放物面反射鏡の焦点距離を該半部分型放物面反射鏡の深さに近い値に設定したことを特徴とする障害物表示灯としたものである。
【０００５】
【発明の実施の形態】
以下に、図１及び図２を参照して、本発明の実施の形態の障害物表示灯の例を説明する。図１のＩは、この障害物表示灯の例の、絶縁性保持板を除去した平面図、IIは、障害物表示灯を構成する表示灯モジュールの断面図、図２は、その表示灯モジュールの要部を示す斜視図である。
【０００６】
この例の障害物表示灯は、４個の同一の表示灯モジュールＭ１〜Ｍ４から構成されている。そこで、代表例としての表示灯モジュールＭ１の構成を説明する。図２に於いて、ｋは直方体状のケースで、Ａ〜Ｈはその各頂点を示す。ｆは、焦点が直線状Ｘ−Ｙ上にあり、矩形正射影を有する半部分型放物面反射鏡（２次反射鏡）で、ケースｋ内に配されている。半部分型放物面反射鏡ｆの４つの頂点は、ケースｋの頂点Ａ、Ｂ、Ｅ、Ｆに一致している。その半部分型放物面反射鏡ｆの両側には、その半部分型放物面反射鏡ｆの左右の放物面、即ち、放射線状の２辺ＥＢ、ＦＡに接する如く垂直な一対の平面反射鏡ｅ、ｅが、その各反射面が互いに対向し、ケースｋ内に配されている。一対の平面反射鏡ｅ、ｅの一方の４つの頂点は、ケースｋの頂点Ｂ、Ｃ、Ｅ、Ｇに一致し、他方の４つの頂点は、ケースｋの頂点Ａ、Ｄ、Ｆ、Ｈに一致している。但し、一対の平面反射鏡ｅ、ｅの、半部分型放物面反射鏡ｆより下方の部分ＢＧＥ及びＡＨＦで囲まれる略三角形部の反射面は、欠落して、反射面を構成していなくても良い。尚、ケースｋの６面のうち、半部分型放物面反射鏡ｆより反射した光Ｌが放射する面Ａ、Ｂ、Ｃ、Ｄ及び半部分型放物面反射鏡ｆの直線状焦点Ｘ−Ｙが位置する面Ｃ、Ｄ、Ｅ、Ｆは開口部と成されている。
【０００７】
図１に於いて、ｕは発光ユニットを示し、これは円筒状閃光放電管（ここでは直管型キセノン放電管）ａ及びこの放電管ａに同軸的に配された同軸円筒型反射鏡（１次反射鏡）ｃから構成される。そして、このキセノン放電管ａは、半部分型放物面反射鏡ｆの直線状焦点Ｘ−Ｙに軸心が一致する如く配されている。同軸円筒型反射鏡ｃは、半部分型放物面反射鏡ｆの直線状焦点Ｘ−Ｙ及びその互いに平行な２辺を含む２つの平面にそれぞれ含まれる互いに平行な２辺を有する矩形の開口部ｂを備え、その開口部ｂから、キセノン放電管ａよりの直接光及び反射鏡ｃよりの反射光が、半部分型放物面反射鏡（２次反射鏡）ｆ及び一対の平面反射板ｅ、ｅに入射するようになされている。そして、半部分型方物面反射鏡（２次反射鏡）ｆ及び一対の平面反射鏡ｅ、ｅによって反射された偏平な扇状の平行光ビーム（光）Ｌが、ケースｋの開口部Ａ，Ｂ，Ｃ，Ｄから前方に出射される。
【０００８】
そして、４個の表示灯モジュールＭ１〜Ｍ４が、そのモジュールＭ１〜Ｍ４の各半部分型放物面反射鏡ｆによって反射された光（偏平な平行光ビーム）が、平面上の順次９０度ずつ異なる方向に進むように、共通の円形の下部基板ｇに取り付けられて、合体されている。即ち、絶縁性保持板ｍを支持するように下部基板ｇに植立されたロッドｐを有し、４個の表示灯モジュールＭ１乃至Ｍ４を下部基板ｇに配設するに当たり、１個の表示灯モジュールＭ１の一対の平面反射鏡ｅ，ｅのうちの一方の平面反射鏡ｅ側にロッドｐが配置され、他方の平面反射鏡ｅは他の表示灯モジュールＭ２のケースｋの背面が対抗するように、４個の表示灯モジュールＭ１乃至Ｍ４が下部基板ｇの中心軸を中心千鳥状に合体されている。又、モジュールＭ１〜Ｍ４の上方には、共通の円形の絶縁性保持板ｍが、下部基板ｇと平行になるように配され、その絶縁性保持板ｍの下面側に、モジュールＭ１〜Ｍ４の各発光ユニットｕを構成するキセノン放電管ａがソケットｓを介して取り付けられると共に、同軸円筒型反射鏡ｃが取付けられる。絶縁性保持板ｍは、下部基板ｇ上に植立された４本のロッドｐによって、支持されている。更に、図示を省略するも、モジュールＭ１〜Ｍ４の各発光ユニットｕのキセノン放電管ａを駆動装置が配されている。
【０００９】
図３に、試作した表示灯モジュールからの放射光の水平配光強度分布の測定結果を示し、横軸は水平角（度）、縦軸は実効光度を示す。試作した表示灯モジュールの寸法を以下に述べる。
同軸円筒型反射鏡ｃの直径：３６ｍｍ、その開口部ｂの開口角：８５度
キセノン放電管ａの管径（直径）：８ｍｍ、管長：１２０ｍｍ、入力：４０ｗ／sec
半部分型放物面反射鏡ｆの幅ｗ：１００ｍｍ、深さｄ：１００ｍｍ、高さｈ：１６０ｍｍ、焦点距離：７５ｍｍ
【００１０】
この図３の水平配光強度分布は、±４５度の範囲に亘って、ピーク値の略５０％以上の十分高い実効光度が得られるので、４個の表示灯モジュールＭ１〜Ｍ４の共同によって、３６０度の範囲に亘って、略均一な配光特性を有する偏平な平行光ビームを放射することができる。
【００１１】
次に、この障害物表示灯の例の効果を述べる。この障害物表示灯を、各表示灯モジュールＭ１〜Ｍ４の平面反射鏡ｅ，ｅが鉛直方向を向くように設置することにより、水平面内３６０度の範囲に亘って、略均一な配光特性を有する偏平な平行光ビームを放射することができる。
【００１２】
円筒状閃光放電管ａよりの光を直接放射するのではなく、半部分型放物面反射鏡ｆを用いて得た偏平な平行光ビームを放射するようにしているので、円筒状閃光放電管ａよりの光の放射光に対する利用率が高くなると共に、放射光の垂直方向の配光性の予測が容易となる。
【００１３】
放射光に対する円筒状閃光放電管ａよりの直接光の影響を除去することにより、半部分型放物面反射鏡ｆの焦点距離を、その深さｄに近い値をとることが可能となり、同一の開口高を持つ全部分放物面反射鏡を用いた障害物表示灯に較べて、頗る鋭い垂直配光特性を有する光ビームを放射させることができる。
【００１４】
半部分型放物面反射鏡ｆを使用しているので、水平面に対し、下方向への配光規制が厳しく、上方向への配光規制は緩やかであるような場合のように、垂直方向（上下方向）の配光が非対称な場合に、頗る有効である。
【００１５】
図２に示す如く、表示灯モジュールの前方右４５度の矢印方向に放射される光ビームは、右側の平面反射板ｅの縁Ａ−Ｄに遮られるため、半部分型放物面反射鏡ｆの放物面の準線の位置に形成される疑似発光面からの放出光が左右の側面反射鏡ｅにより反射された合成光の右４５度方向の成分に相当する。表示灯モジュールの前方左４５度の矢印方向に放射される光ビームも同様の合成光となる。
【００１６】
そして、表示灯モジュールから水平に放射される光の４５度方向成分は、反射鏡の反射率を８５％とした場合、正面へ放射される光の強度の略５０％と算出される。この強度分布は、半部分型放物面反射鏡ｆの幅ｗと、深さｄが略等しい場合に、１対の平面反射鏡ｅ、ｅとによって、実現することのでできる特性である。
【００１７】
一般に、放物面反射鏡ｆの幅ｗを深さｄより大きくすることにより、水平光の４５度成分を増加せしめすことが可能であるが、限定された灯器の空間を有効に活用して鋭い垂直配光分布特性を得るために必要な可及的に長い焦点距離を作り出すには、ｗの値をｄの値に近づけることが有効である。
【００１８】
【発明の効果】
第１の本発明によれば、直線状焦点及び矩形正射影を有する半部分型放物面反射鏡と、半部分型放物面反射鏡の左右両側に形成された放物面に垂直で、各反射面が互いに対向する様に配された一対の平面反射鏡と、半部分型放物面反射鏡の直線状焦点に軸心が一致するように配された円筒状閃光放電管と、この円筒状閃光放電管に対し同軸的に配され、半部分型放物面反射鏡の反射面方向に矩形状の開口部を有する同軸円筒型反射鏡と、半部分型放物面鏡を配したケースとからなる同一の４個の表示灯モジュールと、４個の表示灯モジュールの上部に設けられた絶縁性保持板と、４個の表示灯モジュールを配設する下部基板と、絶縁性保持板を支持するように下部基板に植立されたロッドとを具備してなり、４個の表示灯モジュールにおいて、１個の該表示灯モジュールの一対の平面反射鏡のうちの一方の平面反射鏡側にロッドが配置され、他方の平面反射鏡は他の表示灯モジュールのケース背面が対抗するように、４個の表示灯モジュールが合体されてなり、４個の表示灯モジュールの各半部分型放物面反射鏡によって反射された光が、平面上の順次９０度ずつ異なる方向に進むことを特徴とする障害物表示灯としているので、水平面内３６０度の範囲に亘って、略均一な配光特性を有する偏平な平行光ビームを放射することができ、閃光放電管よりの光の放射光に対する利用率が高くなると共に、放射光の垂直配光性の予測が容易となり、且つ、垂直方向の配光が非対称な場合に頗る有効で円筒状光源に交換が容易で組み立てが簡単となり、表示灯モジュールを千鳥状に配することで、限定された障害灯容器の空間を有効に活用して小型化が図れる障害物表示灯を得ることができる。
【００１９】
第２の本発明によれば、第１の本発明において、半部分型放物面反射鏡の焦点
距離を該半部分型放物面反射鏡の深さに近い値に設定した障害物表示灯としたもので、第１の本発明の効果に加えて、同一の開口高を持つ全部分放物面反射鏡を用いた障害物表示灯に較べて、頗る鋭い垂直配光特性を有する光ビームを放射さ可能な障害物表示灯を得ることができる。
【図面の簡単な説明】
【図１】Ｉ  本発明の実施の形態の障害物表示灯の例の、絶縁性保持板を除去した平面図である。  II  その障害物表示灯の例を構成する表示灯モジュールの断面図である。
【図２】障害物表示灯の例を構成する表示灯モジュールの要部の斜視図である。
【図３】試作した表示灯モジュールからの放射光の水平配光強度分布の測定結果を示すグラフである。
【符号の説明】
ａ  キセノン管、ｂ  同軸円筒型反射鏡の開口部、ｃ  同軸円筒型反射鏡、ｕ発光ユニット、ｋ  ケース、ｓ  キセノン管のソケット、ｅ、ｅ  平面反射鏡、ｆ  半部分型放物面反射鏡、Ｌ  光、ｇ  下部基板、ｍ  絶縁性保持板、ｐ  ロッド、Ｍ１〜Ｍ４  表示灯モジュール。
【図１】
0003730993.tif 000002
【図２】
0003730993.tif 000003
【図３】
0003730993.tif 000004